(57)【要約】【課題】  ゴミの分別を簡単に実現できるゴミ箱を実現する。【解決手段】  背面側が１面の垂直壁面または互いのなす角度が３６０度を等分割した角度からなる２面の垂直壁面２Ａ、２Ｂに構成される等大、等形状の複数個のゴミ箱ユニット１の組み合わせによりゴミ箱Ｐを構成し、上記ゴミ箱ユニットは互いにスタッキング可能なように開口部から底部に向かって前面側が先細となる形状となるように構成すると共に、互いに背中合わせ状態で結合するための結合手段４、７を背面側に設ける。【選択図】      図１
0003127372.tif 000002
【実用新案登録請求の範囲】
【請求項１】
背面側が１面の垂直壁面または互いのなす角度が３６０度を等分割した角度からなる２面の垂直壁面に構成される等大、等形状の複数個のゴミ箱ユニットの組み合わせからなり、上記ゴミ箱ユニットは互いにスタッキング可能なように開口部から底部に向かって前面側が先細となる形状となるように構成されると共に、互いに背中合わせ状態で結合するための結合手段を背面側に設けたことを特徴とする簡単分別集捨ゴミ箱。
【請求項２】
ゴミ箱ユニットの底面と壁面との連続部分に丸みを持たせた請求項１記載の簡単分別集捨ゴミ箱。
【考案の詳細な説明】
【技術分野】
【０００１】
この考案は、家庭においてゴミの分別を簡単に実現できるゴミ箱に関する。
【背景技術】
【０００２】
ゴミ箱は通常は１種類のゴミ容器からなるが、その他に１個のゴミ箱中に複数のゴミ容器を収容し、ゴミの分別種類に応じてゴミ容器を使い分ける分別ゴミ箱が公知である（特許文献１〜２）。
【０００３】
また、複数のゴミ容器を連結可能にした分別ゴミ箱も公知である（特許文献３〜４）。      
【０００４】
【特許文献１】特開２００３−１２８２０２号公報
【特許文献２】特開２００２−１３７８０１号公報
【特許文献３】実願昭５３−７０６５５号（実開昭５４−１７１２７６号）のマイクロフィルム
【特許文献４】実願昭５２−６４６３８号（実開昭５３−１５９１７７号）のマイクロフィルム
【考案の開示】
【考案が解決しようとする課題】
【０００５】
前記の特許文献１〜２に記載のゴミ箱は１個のゴミ箱で複数種の分別ゴミを集捨できるので便利である半面、分別種類に応じた数のゴミ容器を収容するので全体がどうしても大型化し、置き場所に困る問題があった。
【０００６】
また、ゴミの分別種類は地域の清掃事業により異なる他、各家庭での考え方によっても異なり、ゴミ容器の数が固定されているゴミ箱だと、必要とする分別種類に対してゴミ容器の数が少なかったり、逆に多かったりする事態が生じ、メーカーではゴミ容器の数を違えた複数種類のゴミ箱を用意しなくてはならなかった。
【０００７】
一方、特許文献３〜４に記載のゴミ箱は分別数に応じてゴミ容器の連結個数の数を調整できるというメリットはあるが、使用しなかったゴミ容器の保管場所に困るという問題があった。
【０００８】
また、以上のすべてのゴミ箱に共通する問題として、分別種類に応じた数のゴミ容器を有することから大型化したゴミ箱は販売店での陳列スペースを要したり、輸送コストも上昇するという問題点が指摘される。
【課題を解決するための手段】
【０００９】
この考案は以上の従来技術の問題点を解消した分別集捨ゴミ箱を提供することを目的として創作されたものであり、背面側が１面の垂直壁面または互いのなす角度が３６０度を等分割した角度からなる２面の垂直壁面に構成される等大、等形状の複数個のゴミ箱ユニットの組み合わせからなり、上記ゴミ箱ユニットは互いにスタッキング可能なように開口部から底部に向かって前面側が先細となる形状となるように構成されると共に、互いに背中合わせ状態で結合するための結合手段を背面側に設けたことを特徴とする。
【００１０】
また、第２考案としてここでは前記のゴミ箱のゴミ箱ユニットにおいて底面と壁面との連続部分に丸みを持たせたゴミ箱も開示する。
【考案の効果】
【００１１】
以上の構成からなるこの考案の分別集捨ゴミ箱は次の特有の効果を奏する。
(1) 複数個のゴミ箱ユニットを互いに結合することによりゴミ箱を構成するので、ゴミ箱ユニットの連結個数の数を調整することにより分別数に応じた分別集捨ゴミ箱を簡単に得ることが可能となる。
(2) 上記のゴミ箱ユニットは互いにスタッキング可能なように構成されているので分別数を少なくした場合は、図５及び図６に示すように使用しないゴミ箱ユニットを他のゴミ箱ユニットにスタッキングすることにより保管場所の問題を解消することができる。
(3) スタッキング可能な構成はゴミ箱ユニットの開口部から底部に向かって前面側が先細となる形状となるようにすることにより実現し、背面側は１面の垂直壁面または互いのなす角度が３６０度を等分割した角度からなる２面の垂直壁面に構成している。よって、結合時に背面側を互いに背中合わせに密着することができ隙間が生ぜず、スタッキング可能であっても結合時のゴミ箱の安定性を損なうことがない。
(4) ゴミ箱ユニットは互いにスタッキング可能なように構成されているので、販売店での陳列スペースが最小で済み、輸送コストも軽減される。
【００１２】
また、第２考案のゴミ箱においては、ゴミ箱ユニットにおいて底面と壁面との連続部分に丸みを持たせているので、角状のものと異なりゴミ箱ユニットを洗いやすく、汚れが着きにくい効果を奏する。
【考案を実施するための最良の形態】
【００１３】
以下、この考案の分別集捨ゴミ箱の具体的実施例を添付図面に基づいて説明する。図１〜図６はこの考案の分別集捨ゴミ箱の第１実施例を示す図である。この考案のゴミ箱は各ゴミ箱ユニットを互いに結合してゴミ箱を完成させた時に、ゴミ箱ユニットが３６０度方向に放射状に配されるように構成される。従って、２個のゴミ箱ユニットの組み合わせによりゴミ箱を構成する場合はゴミ箱ユニットの背面側は１面の垂直壁面、３個以上のゴミ箱ユニットの組み合わせによりゴミ箱を構成する場合はゴミ箱ユニットの背面側は互いのなす角度が３６０度を等分割した角度からなる２面の垂直壁面により構成されることとなる。
【００１４】
第１実施例のゴミ箱においては、４個のゴミ箱ユニット１の組み合わせによりゴミ箱Ｐを構成するものであり、ゴミ箱ユニットの背面側は互いのなす角度が９０度の２面の垂直壁面２Ａ、２Ｂにより構成される。また、前面側の壁面３はここでは互いのなす角度が９０度の壁面により構成することにより、完成したゴミ箱Ｐが角形状となるようにしているが、円弧状とすることにより円形状となるようにしてもよい。なお、ここではゴミ箱ユニット１の素材としてプラスチックを想定しているが、素材はプラスチックに限定されないことは勿論である。
【００１５】
前記のゴミ箱ユニット１は互いにスタッキング可能なように開口部から底部に向かって前面側が先細となる形状となるように構成される（図５及び図６参照）。
【００１６】
また、ここでは上記のゴミ箱ユニット１の底面と壁面との連続部分Ｒを角状でなく丸みを持たせることにより、ゴミ箱ユニットを洗いやすく、汚れが付きにくくしている（図３及び図４参照）。
【００１７】
前記したように、ゴミ箱ユニット１は４個を互いに背中合わせにして３６０度方向に放射状に配することにより一つのゴミ箱Ｐを完成させるものであり、互いに背中合わせ状態で結合するための結合手段が背面側に設けられる。図２は上記の結合手段を示す図であり、この実施例においてはゴミ箱ユニット１の一方の背面壁２Ｂの上端にして外側に突設される鉤状の係合片４と、他方の背面壁２Ｂの上端にして内側に突設される係合子７により結合手段を構成している。上記係合片４は中央に係合凹部５を有する断面コ字状の鉤型に構成されるものであり、ゴミ箱ユニット１同士を背中合わせにした際に他方のゴミ箱ユニット１の背面壁２Ａの係合子７が上記係合凹部５と係合する（図３及び図４参照）。なお、図中符号６は上記係合片４の上方部を逃がすために、背面壁２Ａの係合子７の上方に設けられた切り欠きである。
【００１８】
以上の構成よりなるゴミ箱Ｐは、図１に示すように４個のゴミ箱ユニット１を結合して４分別可能なゴミ箱としてもよいし、図５に示すようにスタッキングしてもよい。また、図６に示すように３個以下の任意の数のゴミ箱ユニット１を結合し、余ったゴミ箱ユニット１をスタッキングすることにより分別数を調整することが可能となる。
【００１９】
図７はこの考案の分別集捨ゴミ箱の第２実施例を示す図である。この実施例においては２個のゴミ箱ユニット１１の組み合わせによりゴミ箱Ｐ２を構成した例を示すものであり、ゴミ箱ユニットの背面側は１面の垂直壁面１２により構成される。また、ここでは前面側の壁面１３は半円状としているが、例えばコ字状等のその他の形状としてもよいことは勿論である。
【００２０】
図８はこの考案の分別集捨ゴミ箱の第３実施例を示す図である。この実施例においては３個のゴミ箱ユニット２１の組み合わせによりゴミ箱Ｐ３を構成した例を示すものであり、ゴミ箱ユニットの背面側は互いのなす角度が１２０度の２面の垂直壁面２２Ａ、２２Ｂにより構成される。また、ここでは前面側の壁面２３は円弧状としているが、その他の形状としてもよいことは勿論である。
【００２１】
なお、ゴミ箱の分割数は以上の実施例に限定されないことは勿論である。
【図面の簡単な説明】
【００２２】
【図１】この考案の簡単分別集捨ゴミ箱の第１実施例の斜視図。
【図２】同上、結合箇所の要部の斜視図。
【図３】同上、ゴミ箱ユニットを分離した状態の断面図。
【図４】同上、ゴミ箱ユニットを結合した状態の断面図。
【図５】同上、ゴミ箱ユニットをスタッキングした状態の断面図。
【図６】同上、ゴミ箱ユニットをスタッキングした状態の断面図。
【図７】この考案の簡単分別集捨ゴミ箱の第２実施例の平面図。
【図８】この考案の簡単分別集捨ゴミ箱の第３実施例の平面図。
【符号の説明】
【００２３】
Ｐ      ゴミ箱
１      ゴミ箱ユニット
２Ａ    垂直壁面
２Ｂ    垂直壁面
４      係合片
７      係合子
【図１】
0003127372.tif 000003
【図２】
0003127372.tif 000004
【図３】
0003127372.tif 000005
【図４】
0003127372.tif 000006
【図５】
0003127372.tif 000007
【図６】
0003127372.tif 000008
【図７】
0003127372.tif 000009
【図８】
0003127372.tif 000010